【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
タッチスクリーンディスプレイを伴うポータブル電子装置でのコンピュータ実施方法において、
前記装置のユーザと別の個人との間で交換されるメッセージのセットを時間順に表示するステップと、
前記タッチスクリーンディスプレイとのユーザ接触の実質的な垂直移動より成るスクロールジェスチャーを検出するステップであって、このスクロールジェスチャーの検出は、前記タッチスクリーンディスプレイとのユーザ接触の水平位置とは実質的に独立したものであるステップと、
前記スクロールジェスチャーに応答して、前記スクロールジェスチャーの方向に基づいてメッセージの表示をスクロールするステップと、
を備えたコンピュータ実施方法。
【請求項２】
ユーザにより他の個人へ送信されるメッセージを前記タッチスクリーンディスプレイの第１の側に、そして他の個人によりユーザへ送信されるメッセージを前記タッチスクリーンディスプレイの反対側に表示するステップを更に備えた、請求項１に記載の方法。
【請求項３】
１つ以上のメッセージの付近に１つ以上のタイムスタンプを表示するステップを更に備えた、請求項１に記載の方法。
【請求項４】
ユーザにより他の個人へ送信されるメッセージを第１の色で表示するステップと、
他の個人によりユーザへ送信されるメッセージを、前記第１の色とは異なる第２の色で表示するステップと、
を更に備えた請求項１に記載の方法。
【請求項５】
ユーザ及び他の個人の一方により送信されるメッセージを前記タッチスクリーンディスプレイ上で左に整えて表示するステップと、
ユーザ及び他の個人の他方により送信されるメッセージを前記タッチスクリーンディスプレイ上で右に整えて表示するステップと、
を更に備えた請求項１に記載の方法。
【請求項６】
ユーザから他の個人へ新たに送信されるメッセージの、前記タッチスクリーンディスプレイのメッセージコンポーズ領域から、前記タッチスクリーンディスプレイのメッセージ表示領域への移動を視覚上アニメ化するステップを更に備えた、請求項１に記載の方法。
【請求項７】
ユーザと他の個人との間で交換されるメッセージをメッセージ表示領域に表示するステップと、
テキストボックス及び第１セットのキーをメッセージコンポーズ領域に表示するステップと、
を更に備えた請求項１に記載の方法。
【請求項８】
前記第１セットのキーのうちの１つとのユーザ接触を検出した際にテキストボックスに記号を表示するステップを更に備えた、請求項７に記載の方法。
【請求項９】
前記第１セットのキーのうちの１つとのユーザ接触を検出した際に、前記第１セットのキーのうちの少なくともサブセットを第２セットのキーと置き換えるステップを更に備えた、請求項７に記載の方法。
【請求項１０】
ユーザにより入力されたテキストに基づいて１つ以上のテキスト入力示唆を前記メッセージコンポーズ領域に表示するステップと、
規定のユーザジェスチャーを検出した際に、ユーザが選択したテキスト入力示唆をテキストボックスに追加するステップと、
を更に備えた請求項７に記載の方法。
【請求項１１】
ユーザにより入力されたテキストに基づいて１つ以上のテキスト入力示唆を前記メッセージコンポーズ領域に表示するステップと、
規定のユーザジェスチャーを検出した際に、テキストボックス内のテキストの少なくとも一部分をユーザが選択したテキスト入力示唆に置き換えるステップと、
を更に備えた請求項７に記載の方法。
【請求項１２】
タッチスクリーンディスプレイと、
１つ以上のプロセッサと、
メモリと、
１つ以上のプログラムと、
を備え、前記１つ以上のプログラムは、メモリに記憶され、そして１つ以上のプロセッサにより実行されるように構成され、更に、前記プログラムは、
装置のユーザと別の個人との間で交換されるメッセージのセットを時間順に表示するためのインストラクションと、
前記タッチスクリーンディスプレイとのユーザ接触の実質的な垂直移動より成るスクロールジェスチャーを検出するためのインストラクションであって、このスクロールジェスチャーの検出が、前記タッチスクリーンディスプレイとのユーザ接触の水平位置とは実質的に独立したものであるインストラクションと、
前記スクロールジェスチャーに応答して、前記スクロールジェスチャーの方向に基づいてメッセージの表示をスクロールするためのインストラクションと、
を含むものである、ポータブル電子装置。
【請求項１３】
ユーザにより他の個人へ送信されるメッセージは、前記タッチスクリーンディスプレイの第１の側に表示され、そして他の個人によりユーザへ送信されるメッセージは、前記タッチスクリーンディスプレイの反対側に表示される、請求項１２に記載の装置。
【請求項１４】
１つ以上のメッセージの付近に１つ以上のタイムスタンプを表示するインストラクションを更に備えた、請求項１２に記載の装置。
【請求項１５】
ユーザにより他の個人へ送信されるメッセージを第１の色で表示するインストラクションと、
他の個人によりユーザへ送信されるメッセージを、前記第１の色とは異なる第２の色で表示するインストラクションと、
を更に備えた請求項１２に記載の装置。
【請求項１６】
ユーザ及び他の個人の一方により送信されるメッセージを前記タッチスクリーンディスプレイ上で左に整えて表示するインストラクションと、
ユーザ及び他の個人の他方により送信されるメッセージを前記タッチスクリーンディスプレイ上で右に整えて表示するインストラクションと、
を更に備えた請求項１２に記載の装置。
【請求項１７】
ユーザから他の個人へ新たに送信されるメッセージの、前記タッチスクリーンディスプレイのメッセージコンポーズ領域から、前記タッチスクリーンディスプレイのメッセージ表示領域への移動を視覚上アニメ化するインストラクションを更に備えた、請求項１２に記載の装置。
【請求項１８】
ユーザと他の個人との間で交換されるメッセージをメッセージ表示領域に表示するインストラクションと、
テキストボックス及び第１セットのキーをメッセージコンポーズ領域に表示するインストラクションと、
を更に備えた請求項１２に記載の装置。
【請求項１９】
前記第１セットのキーのうちの１つとのユーザ接触を検出した際にテキストボックスに記号を表示するインストラクションを更に備えた、請求項１８に記載の装置。
【請求項２０】
前記第１セットのキーのうちの１つとのユーザ接触を検出した際に、前記第１セットのキーのうちの少なくともサブセットを第２セットのキーと置き換えるインストラクションを更に備えた、請求項１８に記載の装置。
【請求項２１】
ユーザにより入力されたテキストに基づいて１つ以上のテキスト入力示唆を前記メッセージコンポーズ領域に表示するインストラクションと、
規定のユーザジェスチャーを検出した際に、ユーザが選択したテキスト入力示唆をテキストボックスに追加するインストラクションと、
を更に備えた請求項１８に記載の装置。
【請求項２２】
ユーザにより入力されたテキストに基づいて１つ以上のテキスト入力示唆を前記メッセージコンポーズ領域に表示するインストラクションと、
規定のユーザジェスチャーを検出した際に、テキストボックス内のテキストの少なくとも一部分をユーザが選択したテキスト入力示唆に置き換えるインストラクションと、
を更に備えた請求項１８に記載の装置。
【請求項２３】
コンピュータ読み取り可能な記憶媒体と、そこに埋められたコンピュータプログラムメカニズムとを備え、そのコンピュータプログラムメカニズムは、タッチスクリーンディスプレイを伴うポータブル電子装置により実行されたときに、その装置が、
装置のユーザと別の個人との間で交換されるメッセージのセットを時間順に表示し、
前記タッチスクリーンディスプレイとのユーザ接触の実質的な垂直移動より成るスクロールジェスチャーを検出し、このスクロールジェスチャーの検出は、前記タッチスクリーンディスプレイとのユーザ接触の水平位置とは実質的に独立したものであり、更に、
前記スクロールジェスチャーに応答して、前記スクロールジェスチャーの方向に基づいてメッセージの表示をスクロールする、
ようにさせるインストラクションを含むものである、コンピュータプログラム製品。